【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
第１のバッテリセルと第２のバッテリセルとに電気的に接続される導電要素に電気的に接続されるバッテリセルタブ監視回路であって、前記バッテリセルタブ監視回路が、
前記導電要素から電流をプルする、又は前記導電要素へ電流を駆動するように接続される電流源と、
前記電流源の動作を制御するように接続される制御回路と、
前記電流源の動作の間に電圧を検知するように接続される電圧測定回路と、
を含み、
前記制御回路が、前記電圧測定に少なくとも部分的に基づいて前記導電要素の状態を判定するように接続され、前記電流源が前記導電要素から電流をプルするように接続されるプルダウン電流源と前記導電要素へ電流を駆動するように接続されるプルアップ電流源とを含み、前記プルダウン電流源が第１のプルダウン電流源と第２のプルダウン電流源とを含み、前記プルアップ電流源が第１のプルアップ電流源と第２のプルアップ電流源とを含む、回路。
【請求項２】
請求項１に記載のバッテリセルタブ監視回路であって、
前記制御回路が前記第１のプルダウン電流源と前記第１のプルアップ電流源とを動作させ、前記導電要素の電気的接続が損なわれていないか周期的に判定する、回路。
【請求項３】
請求項１に記載のバッテリセルタブ監視回路であって、
前記制御回路が前記第２のプルダウン電流源と前記第２のプルアップ電流源とを動作させ、前記導電要素の電気的接続の品質を周期的に監視する、回路。
【請求項４】
第１のバッテリセルと第２のバッテリセルとに電気的に接続される導電要素に電気的に接続されるバッテリセルタブ監視回路であって、前記回路が、
第１のバッテリセルと第２のバッテリセルとに電気的に接続される前記導電要素から電流をプルする、又は前記導電要素へ電流を駆動するように接続される電流源と、
前記電流源の動作を制御するように接続される制御回路と、
前記電流源の動作の間に電圧を検知するように接続される電圧測定回路と、
を含み、
前記制御回路が、前記電圧測定に少なくとも部分的に基づいて前記導電要素の導電状態の特性を判定するように接続され、
前記電流源が、前記導電要素から電流をプルするように接続されるプルダウン電流源と前記導電要素へ電流を駆動するように接続されるプルアップ電流源とを含み、
前記制御回路が前記プルアップ電流源と前記プルダウン電流源とを交互に動作するように制御して、前記第１のバッテリセルと前記第２のバッテリセルとの負荷を平衡化する、回路。
【請求項５】
請求項４に記載のバッテリセルタブ監視回路であって、
前記制御回路が前記プルダウン電流源の動作の間に電圧を第１の固定又は可変電圧閾値と比較し、更に、前記制御回路が前記プルアップ電流源の動作の間に電圧を第２の固定又は可変電圧閾値と比較する、回路。
【請求項６】
請求項４に記載のバッテリセルタブ監視回路であって、
前記制御回路が前記第１のバッテリセルと前記第２のバッテリセルとの相対的チャージに関する情報を受け取り、そして前記制御回路が前記プルアップ電流源と前記プルダウン電流源とを動作させて、前記第１のバッテリセルと前記第２のバッテリセルとの前記相対的チャージを平衡化する、回路。
【請求項７】
バッテリセル状態を監視する方法であって、
第１のバッテリセルと第２のバッテリセルとの間に配置される導電要素から電流をプルすることと、
前記導電要素から電流をプルする間に前記第１のバッテリセルの第１の電圧を検知することと、
前記第１のバッテリセルと前記第２のバッテリセルとの間に配置される前記導電要素へ電流をプッシュすることと、
前記導電要素へ電流をプッシュする間に前記第１のバッテリセルの第２の電圧を検知することと、
前記第１の電圧と前記第２の電圧とに少なくとも部分的に基づいて前記導電要素の接続状態を判定することと、
を含む、方法。
【請求項８】
請求項７に記載の方法であって、
前記導電要素へ電流をプッシュする前記ステップと前記導電要素から電流をプルする前記ステップとが周期的に交互に行われる、方法。
【請求項９】
請求項７に記載の方法であって、
前記第１の電圧と前記第２の電圧とに少なくとも部分的に基づいて前記導電要素の前記接続状態を判定する前記ステップが、
前記第１の電圧を第１の電圧閾値と比較することと、
前記第２の電圧を第２の電圧閾値と比較することと、
前記第１の電圧閾値と比較した前記第１の電圧と、前記第２の電圧閾値と比較した前記第２の電圧との関数に従って前記導電要素の前記接続状態の表示を提供することと、
を含む、方法。
【請求項１０】
請求項７に記載の方法であって、
前記第１の電圧と前記第２の電圧とに少なくとも部分的に基づいて前記導電要素の前記接続状態を判定する前記ステップが、
前記第１の電圧と初期電圧との間の差を第１の電圧閾値と比較して、第１の比較を作成することと、
前記第２の電圧と前記初期電圧との間の差を第２の電圧閾値と比較して、第２の比較を作成することと、
前記第１の比較と前記第２の比較とに従って前記導電要素の前記接続状態の表示を提供することと、
を含む、方法。
【請求項１１】
請求項７に記載の方法であって、
前記導電要素へ電流をプッシュする前記ステップが、
第１の間隔で第１の電流をプッシュすることと、
第２の間隔で第２の電流をプッシュすることと、
を含む、方法。
【請求項１２】
請求項１１に記載の方法であって、
前記第１の間隔で前記第１の電流をプッシュする前記ステップが、前記導電要素が検知回路に接続されているか否かを判定するために、約１ミリアンペアの電流をプッシュすることを含み、
前記第２の間隔で前記第２の電流をプッシュする前記ステップが、前記導電要素と前記検知回路との間の前記接続の劣化を判定するために、約１０マイクロアンペアの電流をプッシュすることを含む、方法。
【請求項１３】
請求項７に記載の方法であって、
前記第１のバッテリセルと前記第２のバッテリセルとの間のチャージの不平衡を判定することと、
前記導電要素を介して電流をプッシュすること又は電流をプルすることによって前記第１のバッテリセルと前記第２のバッテリセルとの間の前記チャージの不平衡を補正することと、
を更に含む、方法。
【請求項１４】
第１のバッテリセルと第２のバッテリセルとに電気的に接続される導電要素に電気的に接続されるバッテリセルタブ監視装置であって、前記装置が、
第１の時間量の間に前記導電要素から第１の電流を周期的にプルするように接続される第１のプルダウン電流源と、
およそ前記第１の時間量の間に前記導電要素へ前記第１の電流にほぼ等しい電流を周期的にプッシュするように接続される第１のプルアップ電流源と、
第２の時間量の間に前記導電要素から第２の電流を周期的にプルするように接続される第２のプルダウン電流源と、
およそ前記第２の時間量の間に前記導電要素へ前記第２の電流にほぼ等しい電流を周期的に駆動するように接続される第２のプルアップ電流源と、
前記第１のプルダウン電流源、前記第１のプルアップ電流源、前記第２のプルダウン電流源、及び前記第２のプルアップ電流源の動作を制御するように接続される制御回路と、
前記第１のプルダウン電流源、前記第１のプルアップ電流源、前記第２のプルダウン電流源、及び前記第２のプルアップ電流源の動作の間電圧を検知するように接続される電圧測定回路と、
を含み、
前記制御回路が前記第１のプルダウン電流源と前記第１のプルアップ電流源との少なくとも１つの動作の間に電圧を第１の固定又は可変電圧閾値と比較し、前記制御回路が前記第２のプルダウン電流源と前記第２のプルアップ電流源との少なくとも１つの動作の間に電圧を第２の固定又は可変電圧閾値と比較するように、前記制御回路が前記測定された電圧に少なくとも部分的に基づいて前記導電要素の状態を判定するように接続される、装置。
【請求項１５】
請求項１４に記載のバッテリセルタブ監視装置であって、
前記制御回路が前記第１のバッテリセルと前記第２のバッテリセルとの相対的チャージに関する情報を受け取り、前記制御回路が前記第２のプルアップ電流源と前記第２のプルダウン電流源とを動作させて、前記第１のバッテリセルと前記第２のバッテリセルとの前記相対的チャージを平衡化する、装置。
【請求項１６】
請求項１５に記載のバッテリセルタブ監視装置であって、
前記第１の電流が約１ミリアンペアであり、前記第２の電流が約１０マイクロアンペアである、装置。
【請求項１７】
請求項１４に記載のバッテリセルタブ監視装置であって、
前記第１のプルダウン電流源と前記第１のプルアップ電流源とが少なくとも１つのハードウエアベースの制御器により制御され、前記第２のプルダウン電流源と前記第２のプルアップ電流源とが少なくとも１つのファームウエアベースの制御器により制御される、装置。